(57)【要約】【課題】所望の画像データが所望の形態で記録された利用価値の高い記録媒体を簡単に作成することができる記録装置及び記録プログラムの提供。【解決手段】デジタルカメラやメディアなどから読み取った画像データをサーバなどに記憶し、携帯電話機などの携帯機器を用いて、画像データの選択や、画像の回転、文字や音声の合成などの指示を行い、記録装置では、特定の記録媒体が装填された場合に、携帯機器で選択した画像データの記憶場所や該画像データに対する処理が記述された指示情報を読み取り、該指示情報に基づいて対象となる画像データを特定し、対象となる画像データが存在する場合は、少なくとも特定された画像データや指示情報に従って処理された画像データを記録媒体に記録し、対象となる画像データが存在しない場合は、その旨を示すメッセージ画面を表示手段に表示する。【選択図】図１０
2006324868.tif 000002
【特許請求の範囲】
【請求項１】
通信ネットワークを介して、画像データを閲覧可能に記憶するサーバと、前記画像データの選択指示を行う携帯機器とに接続される記録装置であって、
記録媒体に予め記録された識別情報に基づいて、装填された前記記録媒体が特定の記録媒体であるかを識別する手段と、
装填された記録媒体が前記特定の記録媒体である場合に、前記サーバから、前記携帯機器により選択された画像データの前記サーバ上の記憶場所が記述された指示情報を読み取り、該指示情報に基づいて、前記選択された画像データを特定する手段と、
前記選択された画像データが存在する場合に、記録手段に、少なくとも前記選択された画像データを前記特定の記録媒体に記録させる手段と、を少なくとも備えることを特徴とする記録装置。
【請求項２】
通信ネットワークを介して、画像データを閲覧可能に記憶するサーバと、前記画像データの選択指示を行う携帯機器とに接続される記録装置であって、
記録媒体に予め記録された識別情報に基づいて、装填された前記記録媒体が特定の記録媒体であるかを識別する手段と、
装填された記録媒体が前記特定の記録媒体である場合に、前記サーバ又は前記携帯機器から送信された、前記携帯機器により選択された画像データの前記サーバ上の記憶場所が記述された指示情報に基づいて、前記選択された画像データを特定する手段と、
前記選択された画像データが存在する場合に、記録手段に、少なくとも前記選択された画像データを前記特定の記録媒体に記録させる手段と、を少なくとも備えることを特徴とする記録装置。
【請求項３】
通信ネットワークを介して、画像データを閲覧可能に記憶するサーバと、前記画像データの選択及び処理の指示を行う携帯機器とに接続される記録装置であって、
記録媒体に予め記録された識別情報に基づいて、装填された前記記録媒体が特定の記録媒体であるかを判別する手段と、
装填された記録媒体が前記特定の記録媒体である場合に、前記サーバから、前記携帯機器により選択された画像データの前記サーバ上の記憶場所及び該画像データに対する処理が記述された指示情報を読み取り、該指示情報に基づいて、前記選択された画像データを特定する手段と、
前記選択された画像データが存在する場合に、該画像データに対して前記指示情報に従って処理を実行する手段と、
記録手段に、少なくとも処理された画像データを前記特定の記録媒体に記録させる手段と、を少なくとも備えることを特徴とする記録装置。
【請求項４】
通信ネットワークを介して、画像データを閲覧可能に記憶するサーバと、前記画像データの選択及び処理の指示を行う携帯機器とに接続される記録装置であって、
記録媒体に予め記録された識別情報に基づいて、装填された前記記録媒体が特定の記録媒体であるかを判別する手段と、
装填された記録媒体が前記特定の記録媒体である場合に、前記サーバ又は前記携帯機器から送信された、前記携帯機器により選択された画像データの前記サーバ上の記憶場所及び該画像データに対する処理が記述された指示情報に基づいて、前記選択された画像データを特定する手段と、
前記選択された画像データが存在する場合に、該画像データに対して前記指示情報に従って処理を実行する手段と、
記録手段に、少なくとも処理された画像データを前記特定の記録媒体に記録させる手段と、を少なくとも備えることを特徴とする記録装置。
【請求項５】
前記処理は、画像データに基づく画像を回転させる処理、画像データに基づく画像に文字情報を合成する処理、又は、画像データに音声情報を合成する処理のいずれかを含むことを特徴とする請求項３又は４に記載の記録装置。
【請求項６】
更に、前記選択された画像データが存在しない場合に、該画像データが存在しないことを示すメッセージを表示手段に表示させる手段を備えることを特徴とする請求項１乃至５のいずれか一に記載の記録装置。
【請求項７】
前記記録媒体はディスク型記録媒体であり、前記識別情報は前記ディスク型記録媒体の論理アドレス領域よりも内周側の領域に記録されていることを特徴とする請求項１乃至６のいずれか一に記載の記録装置。
【請求項８】
コンピュータを、
記録媒体に予め記録された識別情報に基づいて、装填された前記記録媒体が特定の記録媒体であるかを識別する手段、
装填された記録媒体が前記特定の記録媒体である場合に、所定の画像データの記憶場所が記述された指示情報に基づいて、前記所定の画像データを特定する手段、
前記所定の画像データが存在する場合に、記録手段に、少なくとも前記所定の画像データを前記特定の記録媒体に記録させる手段、として機能させることを特徴とする記録プログラム。
【請求項９】
コンピュータを、
記録媒体に予め記録された識別情報に基づいて、装填された前記記録媒体が特定の記録媒体であるかを判別する手段、
装填された記録媒体が前記特定の記録媒体である場合に、所定の画像データの記憶場所及び該所定の画像データに対する処理が記述された指示情報に基づいて、前記所定の画像データを特定する手段、
前記所定の画像データが存在する場合に、該画像データに対して前記指示情報に従って処理を実行する手段、
記録手段に、少なくとも処理された画像データを前記特定の記録媒体に記録させる手段、として機能させることを特徴とする記録プログラム。
【請求項１０】
前記処理は、画像データに基づく画像を回転させる処理、画像データに基づく画像に文字情報を合成する処理、又は、画像データに音声情報を合成する処理のいずれかを含むことを特徴とする請求項９記載の記録プログラム。
【請求項１１】
コンピュータを、更に、
前記所定の画像データが存在しない場合に、該所定の画像データが存在しないことを示すメッセージを表示手段に表示させる手段として機能させることを特徴とする請求項８乃至１０のいずれか一に記載の記録プログラム。
【請求項１２】
前記記録媒体はディスク型記録媒体であり、前記識別情報は前記ディスク型記録媒体の論理アドレス領域よりも内周側の領域に記録されていることを特徴とする請求項８乃至１１のいずれか一に記載の記録プログラム。
【発明の詳細な説明】
【技術分野】
【０００１】
本発明は、記録装置及び記録プログラムに関し、特に、サーバにアップロードされた画像データを記録媒体に記録する記録装置及び記録プログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（無人端末に関しては、例えば、下記特許文献１参照）。
【０００３】
また、デジタルカメラやメディア、フィルムから読み取った画像データを、ＤＶＤプレーヤやＤＶＤレコーダ、ゲーム機のような家電機器でスライドショーとして再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、元の画像データと生成した家電機器用データとをＣＤ−Ｒ、ＤＶＤ−Ｒなどの記録媒体に書き込むサービスも行われている。
【０００４】
【特許文献１】特開平１１−８８１７号公報（第３−４頁、第１図）
【発明の開示】
【発明が解決しようとする課題】
【０００５】
デジタルカメラやメディアに記録された画像データの中には、記録媒体に記録する必要のない画像データや、回転させるなどの処理を行うことにより見栄えがよくなる画像データなどが含まれている場合もあるため、上記サービスを利用して記録媒体を作成する場合は、画像データを選択したり、画像を回転させるなどの操作を行うことが好ましい。
【０００６】
しかしながら、上記無人端末や店頭端末は人前で操作を行うものであるため、例えば、順番待ちのユーザがいる場合には落ち着いて操作をすることができない。そのため、デジタルカメラやメディアに記録された画像データをそのまま記録媒体に記録する場合が多くなり、所望の画像データが所望の形態で記録された利用価値の高い記録媒体を作成することができないという問題がある。
【０００７】
本発明は、上記問題点に鑑みてなされたものであって、その主たる目的は、所望の画像データが所望の形態で記録された利用価値の高い記録媒体を簡単に作成することができる記録装置及び記録プログラムを提供することにある。
【課題を解決するための手段】
【０００８】
上記目的を達成するため、本発明の記録装置は、通信ネットワークを介して、画像データを閲覧可能に記憶するサーバと、前記画像データの選択指示を行う携帯機器とに接続される記録装置であって、記録媒体に予め記録された識別情報に基づいて、装填された前記記録媒体が特定の記録媒体であるかを識別する手段と、装填された記録媒体が前記特定の記録媒体である場合に、前記サーバから、前記携帯機器により選択された画像データの前記サーバ上の記憶場所が記述された指示情報を読み取り、該指示情報に基づいて、前記選択された画像データを特定する手段と、前記選択された画像データが存在する場合に、記録手段に、少なくとも前記選択された画像データを前記特定の記録媒体に記録させる手段と、を少なくとも備えるものである。
【０００９】
また、本発明の記録装置は、通信ネットワークを介して、画像データを閲覧可能に記憶するサーバと、前記画像データの選択指示を行う携帯機器とに接続される記録装置であって、記録媒体に予め記録された識別情報に基づいて、装填された前記記録媒体が特定の記録媒体であるかを識別する手段と、装填された記録媒体が前記特定の記録媒体である場合に、前記サーバ又は前記携帯機器から送信された、前記携帯機器により選択された画像データの前記サーバ上の記憶場所が記述された指示情報に基づいて、前記選択された画像データを特定する手段と、前記選択された画像データが存在する場合に、記録手段に、少なくとも前記選択された画像データを前記特定の記録媒体に記録させる手段と、を少なくとも備えるものである。
【００１０】
また、本発明の記録装置は、通信ネットワークを介して、画像データを閲覧可能に記憶するサーバと、前記画像データの選択及び処理の指示を行う携帯機器とに接続される記録装置であって、記録媒体に予め記録された識別情報に基づいて、装填された前記記録媒体が特定の記録媒体であるかを判別する手段と、装填された記録媒体が前記特定の記録媒体である場合に、前記サーバから、前記携帯機器により選択された画像データの前記サーバ上の記憶場所及び該画像データに対する処理が記述された指示情報を読み取り、該指示情報に基づいて、前記選択された画像データを特定する手段と、前記選択された画像データが存在する場合に、該画像データに対して前記指示情報に従って処理を実行する手段と、記録手段に、少なくとも処理された画像データを前記特定の記録媒体に記録させる手段と、を少なくとも備えるものである。
【００１１】
また、本発明の記録装置は、通信ネットワークを介して、画像データを閲覧可能に記憶するサーバと、前記画像データの選択及び処理の指示を行う携帯機器とに接続される記録装置であって、記録媒体に予め記録された識別情報に基づいて、装填された前記記録媒体が特定の記録媒体であるかを判別する手段と、装填された記録媒体が前記特定の記録媒体である場合に、前記サーバ又は前記携帯機器から送信された、前記携帯機器により選択された画像データの前記サーバ上の記憶場所及び該画像データに対する処理が記述された指示情報に基づいて、前記選択された画像データを特定する手段と、前記選択された画像データが存在する場合に、該画像データに対して前記指示情報に従って処理を実行する手段と、記録手段に、少なくとも処理された画像データを前記特定の記録媒体に記録させる手段と、を少なくとも備えるものである。
【００１２】
本発明においては、前記処理は、画像データに基づく画像を回転させる処理、画像データに基づく画像に文字情報を合成する処理、又は、画像データに音声情報を合成する処理のいずれかを含むことが好ましい。
【００１３】
また、本発明においては、更に、前記選択された画像データが存在しない場合に、該画像データが存在しないことを示すメッセージを表示手段に表示させる手段を備える構成とすることができる。
【００１４】
また、本発明においては、前記記録媒体はディスク型記録媒体であり、前記識別情報は前記ディスク型記録媒体の論理アドレス領域よりも内周側の領域に記録されていることが好ましい。
【００１５】
また、本発明の記録プログラムは、コンピュータを、記録媒体に予め記録された識別情報に基づいて、装填された前記記録媒体が特定の記録媒体であるかを識別する手段、装填された記録媒体が前記特定の記録媒体である場合に、所定の画像データの記憶場所が記述された指示情報に基づいて、前記所定の画像データを特定する手段、前記所定の画像データが存在する場合に、記録手段に、少なくとも前記所定の画像データを前記特定の記録媒体に記録させる手段、として機能させるものである。
【００１６】
また、本発明の記録プログラムは、コンピュータを、記録媒体に予め記録された識別情報に基づいて、装填された前記記録媒体が特定の記録媒体であるかを判別する手段、装填された記録媒体が前記特定の記録媒体である場合に、所定の画像データの記憶場所及び該所定の画像データに対する処理が記述された指示情報に基づいて、前記所定の画像データを特定する手段、前記所定の画像データが存在する場合に、該画像データに対して前記指示情報に従って処理を実行する手段、記録手段に、少なくとも処理された画像データを前記特定の記録媒体に記録させる手段、として機能させるものである。
【００１７】
本発明においては、コンピュータを、更に、前記所定の画像データが存在しない場合に、該所定の画像データが存在しないことを示すメッセージを表示手段に表示させる手段として機能させる構成とすることができる。
【００１８】
このように、本発明の構成によれば、記録装置では、特定の記録媒体が装填された場合に、携帯機器で選択した画像データの記憶場所や該画像データに対する処理が記述された指示情報を読み取り、該指示情報に基づいて選択された画像データを特定し、少なくとも選択された画像データや指示情報に従って処理された画像データを特定の記録媒体に記録するため、所望の画像データが所望の形態で記録された利用価値の高い記録媒体を簡単に作成することができる。
【発明の効果】
【００１９】
本発明の記録装置及び記録プログラムによれば、所望の画像データが所望の形態で記録された利用価値の高い記録媒体を簡単に作成することができる。
【００２０】
その理由は、デジタルカメラやメディアなどから読み取った画像データをサーバなどに記憶し、携帯電話機などの携帯機器を用いて、画像データの選択や、画像の回転、文字や音声の合成などの指示を行い、記録装置では、特定の記録媒体が装填された場合に、携帯機器で選択した画像データの記憶場所や該画像データに対する処理が記述された指示情報を読み取り、該指示情報に基づいて選択された画像データを特定し、選択された画像データが存在する場合は、少なくとも選択された画像データや指示情報に従って処理された画像データを特定の記録媒体に記録し、選択された画像データが存在しない場合は、その旨を示すメッセージ画面を表示手段に表示する制御が行われるからである。
【発明を実施するための最良の形態】
【００２１】
従来技術で示したように、デジタルカメラやメディアから読み取った画像データや該画像データに基づいて生成された家電機器用データなどを記録媒体に記録するサービスが行われているが、無人端末や店頭端末上では画像データを選択したり画像データを回転させるなどの操作を落ち着いて行うことができないため、結果的に全ての画像データをそのまま記録する場合が多くなり、利用価値の高い記録媒体を作成することができないという問題があった。
【００２２】
一方、近年、サイズが大きく、解像度の高いモニタを備える処理能力の高い携帯電話機などの携帯機器が普及しており、携帯機器でも画像を鮮明に表示することができ、また、表示されている画像に対して各処理を実行できるようになってきている。
【００２３】
そこで、本発明では、無人端末や店頭端末で操作を行うのではなく、携帯機器を用いて、画像データの選択や、画像の回転、文字や音声の合成などの指示を行い、その指示情報を記録装置が利用できるように所定の場所に記録する。そして、記録装置では、特定の記録媒体が装填された場合に指示情報を読み取り、指示情報に基づいて選択された画像データを特定し、選択された画像データが存在する場合に、少なくとも選択された画像データや指示情報に従って処理された画像データを特定の記録媒体に記録することにより上記問題を解決している。以下、その具体例について図面を参照して説明する。
【実施例１】
【００２４】
まず、本発明の第１の実施例に係る記録装置及び記録プログラムについて、図１乃至図１６を参照して説明する。図１は、本実施例の記録システムの構成を模式的に示す図であり、図２は、記録システムの他の構成を示す図、図３乃至図６は、記録装置の他の構成を示す図である。また、図７は、本実施例の記録装置の手段を示すブロック図であり、図８乃至図１０は、本実施例の記録システムを用いた処理の手順を示すフローチャート図である。また、図１１乃至図１３は、データの記録構造を示す図であり、図１４は、指示情報の具体例を示す図である。また、図１５は、記録媒体（ＣＤ−Ｒ）の構造を模式的に示す図であり、図１６は、本実施例の記録装置の表示手段に表示される画面構成例を示す図である。
【００２５】
図１に示すように、本実施例の記録システムは、デジタルカメラ８やメディア９などから画像データ（静止画像データ、動画データ、画像情報を含むデータを総称して画像データと呼ぶ。）を読み取ってアップロードする処理と、後述する指示情報で特定される画像データなどを記録媒体１０に記録する処理とを実行する記録装置１と、通信ネットワーク１２を介して記録装置１から送信された画像データを閲覧可能に記憶するサーバ１３と、基地局１２ａを介して通信ネットワーク１２に接続し、サーバ１３に記憶された画像データを閲覧し、記録媒体１０に記録する画像データの選択などの指示を行う携帯機器（携帯電話機やＰＤＡなどの携帯端末、無線通信機能を備えたゲーム機などを総称して携帯機器１１と呼ぶ。）とで構成される。
【００２６】
なお、本実施例では、記録装置１でアップロード処理と記録処理とを実行する構成とするが、図２に示すように、記録システムに受付端末１４を設け、受付端末１４でアップロード処理を実行し、記録装置１で記録処理を実行する構成としてもよい。また、本実施例では、読み取った画像データをサーバ１３に記憶する構成とするが、画像データは携帯機器１１で閲覧可能な状態で記憶されていれば良く、記録装置１や受付端末１４に記憶したり、他の記憶手段に記憶する構成としてもよい。
【００２７】
また、図７に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア９と呼ぶ。）を装填するメディア装填部２、デジタルカメラ８（デジタルスチルカメラ及びデジタルムービーカメラの双方を含む。）等の撮影機器を有線又は無線、赤外線等によって接続するための機器接続部３などを用いて画像データを読み取るデータ入力手段１５と、ネットワーク接続部４を用いて、読み取った画像データや該画像データに基づいて生成した縮小画像データをサーバ１３に送信するデータ送信手段１６と、記録媒体装填部５に装填された記録媒体１０が特定の記録媒体であるかを識別する記録媒体識別手段１７と、サーバ１３などから指示情報を読み取り、該指示情報に基づいて画像データを特定する対象画像特定手段１８と、特定された画像データなどを家電機器１４でスライドショーとして再生するためのＶｉｄｅｏ−ＣＤ形式、ＤＶＤ−Ｖｉｄｅｏ形式、ＨＤＴＶ形式等の家電機器用データを生成したり、画像データのデータサイズを縮小したサムネイル画像データやスクリーン画像データなどの縮小画像データを生成するデータ生成手段１９と、上記画像データや縮小画像データ、家電機器用データなどを記録媒体装填部５に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１０に記録させる記録制御手段２０と、メッセージ画面などを表示手段６に表示させる表示制御手段２２と、ＬＣＤ、ＣＲＴ等の表示手段６と、ボタン、キーボード、マウス等の操作手段７と、を少なくとも備えている。
【００２８】
なお、上記各手段は記録装置１にハードウェアとして構成されていてもよいし、コンピュータを、少なくとも記録媒体識別手段１７、対象画像特定手段１８、記録制御手段２０などとして機能させる記録プログラムとして構成し、該記録プログラムを記録装置１にインストールして実行する構成とすることもできる。また、図１では写真店やコンビニエンスストア等の店舗に設置可能なキオスク型の記録装置１を記載しているが、記録装置１の形態は任意であり、例えば、図３に示すような卓上型の店頭端末としたり、図４に示すようなパーソナルコンピュータとしたり、図５に示すような専用のセットトップボックスとしたり、図６に示すようなポータブルライターなどとしてもよい。
【００２９】
以下、本実施例の記録システムを用いた処理の手順について説明するが、本発明の理解を容易にするために、まず、記録装置１を用いて画像データをサーバ１３などにアップロードする手順について説明し、次に、携帯機器１１を用いてアップロードされた画像データの中から所望の画像データを選択する手順について説明し、次に、記録装置１を用いて選択された画像データを記録媒体１０に記録する手順について説明する。
【００３０】
まず、上記構成の記録装置１（図２の構成の場合は受付端末１４）を用いて、画像データをサーバ１３にアップロードする手順について、図８のフローチャート図を参照して説明する。
【００３１】
まず、ステップＳ１０１で、記録装置１のメディア装填部２にメディア９を装填、又は、機器接続部３にデジタルカメラ８を接続し、ステップＳ１０２で、データ入力手段１５を用いて、デジタルカメラ８やメディア９から画像データを読み取る。そして、必要に応じて、読み取った画像データに基づく画像を表示手段６に選択可能に表示し、その中から所望の画像データを選択する。
【００３２】
次に、ステップＳ１０３で、データ生成手段１９を用いて、読み取った画像データ又はその中から選択した画像データの画素数や色数、サイズなどを減縮したサムネイル画像データやスクリーンネイル画像データなどの携帯機器１１での表示に適した縮小画像データを生成する。この縮小画像データは入力した画像データよりもデータサイズが小さいものであればよく、例えば、画素数を減縮した画像データや色数、色再現域を減縮した画像データなどとすることができる。
【００３３】
次に、ステップＳ１０４で、データ送信手段１６は、ネットワーク接続部４を用いて通信ネットワーク１２に接続し、ステップＳ１０２で読み取った画像データ又はその中から選択した画像データ（以下、オリジナル画像データと呼ぶ。）とステップＳ１０３で作成した縮小画像データ（サムネイル画像データ又はスクリーンネイル画像データの一方又は双方）とを所定の記憶手段（ここではサーバ１３）に送信し、サーバ１３は、ステップＳ１０５で、送信されたオリジナル画像データと縮小画像データとを記憶する。
【００３４】
なお、本実施例では記録媒体１０の作成のためのオリジナル画像データと、携帯機器１１での閲覧のための縮小画像データの双方をサーバ１３に記憶する構成とするが、例えば、携帯機器１１でオリジナル画像データを閲覧することが可能な場合は、オリジナル画像データのみをサーバ１３に記憶してもよいし、記録媒体１０に縮小画像データのみを記録すればよい場合は、縮小画像データのみをサーバ１３に記憶してもよい。また、オリジナル画像データと縮小画像データとは必ずしも同じ記憶場所に記憶する必要はなく、互いの関連付けが可能であれば、一方をサーバ１３に記憶して他方を他の記憶手段に記憶することも可能である。また、携帯機器１１での閲覧に際してユーザ認証を行う場合は、ユーザＩＤやパスワード、携帯機器１１の電話番号、電子メールアドレスなどの識別情報をユーザに入力させ、この識別情報とオリジナル画像データや縮小画像データとを関連付けてサーバ１３に記憶してもよい。
【００３５】
上記手順で各種データが記憶されたサーバ１３のデータ構造は、例えば、図１１のようになり、画像データの格納場所を示すフォルダ（例えば、PS_Rollフォルダ）内に、メディア毎や機器毎などの格納場所を示すフォルダ（例えば、ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）が生成され、その中に、オリジナル画像データ（例えば、ORYYMMDDxxxxxx.jpg）や縮小画像データ（例えば、THYYMMDDxxxxxx.jpg、SCYYMMDDxxxxxx.jpg）が記憶される。
【００３６】
次に、サーバ１３に記憶された画像データの画像を閲覧して、所望の画像データを選択する手順について、図９のフローチャート図を参照して説明する。なお、通常は、画像の閲覧には縮小画像データを利用し、記録媒体１０の記録にはオリジナル画像データを利用するが、上述したようにオリジナル画像データを閲覧してもよいし、縮小画像データを記録媒体１０に記録してもよいことから、以下の説明ではオリジナル画像データと縮小画像データとを区別せず、画像データとして説明する。
【００３７】
まず、ステップＳ２０１で、ユーザは携帯機器１１を操作してサーバ１３にアクセスし、必要に応じて、入力したユーザＩＤやパスワード、携帯機器１１の電話番号、電子メールアドレスなどの識別情報をサーバ１３に送信し、サーバ１３は、送信された識別情報に基づいてユーザを認証する。
【００３８】
次に、ステップＳ２０２で、携帯機器１１はサーバ１３に記憶された画像データの画像を表示手段に表示させ、その画像を閲覧する。なお、画像の閲覧に際して、画像データを順番に受信して表示手段に表示させてもよいし、携帯機器１１の記憶容量に余裕がある場合は、画像データを一括して受信して携帯機器１１の記憶手段に記憶しておき、操作手段を操作して順番に表示手段に表示させてもよい。
【００３９】
次に、ステップＳ２０３で、ユーザは携帯機器１１に備える機能を利用して、表示手段に表示された画像の中から、記録媒体１０に記録する画像データに対応する画像を選択する。この画像の選択の方法は特に限定されず、例えば、所望の画像が表示されている状態で携帯機器１１の所定のボタン（例えば、決定ボタン）を押すと、表示されている画像の基となる画像データが選択されてそのファイル名が記憶されるようにすることができる。また、画像データは１つのROフォルダの中から選択してもよいし、複数のROフォルダの中から選択してもよい。また、携帯機器１１では表示手段のサイズが小さいために多数の画像を同時に表示することができず、画面を何度も遷移させて閲覧することから、どの画像を選択したかを分かりやすくするため、選択した画像を表示する際に選択済みであることを示すマークを表示してもよい。
【００４０】
次に、ステップＳ２０４で、携帯機器１１に備える機能を利用して、例えば、図１４に示すように、選択された画像データ（図では１０個のオリジナル画像データ）のサーバ１３上の記憶場所（パス情報）が記述された指示情報を作成し、その指示情報をサーバ１３に送信する。
【００４１】
そして、ステップＳ２０５で、サーバ１３は、送信された指示情報を記憶する。この指示情報の記憶場所は特に限定されないが、記録装置１が容易に指示情報を検索することができるようにすることが好ましく、例えば、図１２に示すように、指示情報の記録場所を示すフォルダ（例えば、Ordersフォルダ）を作成し、その中に作成した指示情報（ここでは、HA-OrderYYMMDDXXXXXX.txt）を記憶することが好ましい。なお、この指示情報の形式は特に限定されず、図のようなテキストファイルとしてもよいし、メタデータとしてもよい。また、上記フローでは指示情報をサーバ１３に記憶する構成としたが、記録媒体１０を作成する記録装置１が特定されている場合にはその記録装置１に指示情報を記憶してもよく、その場合は、通信ネットワーク１２を介して又はブルートゥース機能などを用いて、携帯機器１１から記録装置１に直接、又はサーバ１３を介して指示情報を送信すればよい。
【００４２】
次に、記録装置１を用いて、少なくとも指示情報で特定される画像データを記録媒体１０に記録する手順について、図１０のフローチャート図を参照して説明する。
【００４３】
まず、ステップＳ３０１で、記録装置１の記録媒体装填部５にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体１０を装填すると、ステップＳ３０２で、記録媒体識別手段１７は、記録媒体１０の所定の領域（例えば、論理アドレス領域外）から記録媒体１０を識別するための識別情報を読み出して装填された記録媒体１０が特定の記録媒体１０であるかを判断する。この識別情報は、記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。なお、論理アドレス領域とは、ユーザのデータ（プログラム）が記録される領域であり、上記プログラムメモリ領域、リードイン・ＴＯＣ領域やリードアウト領域などの情報領域、案内溝変調（ＡＴＩＰ）情報の領域は含まず、また、論理アドレス領域外とは上記論理アドレス領域以外の領域を指すものとする。
【００４４】
ここで、一般的な記録媒体１０の構造について、図１５を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４５】
次に、ステップＳ３０３で、対象画像特定手段１８は、ネットワーク接続部４を用いてサーバ１３にアクセスし、サーバ１３の所定の記憶場所（ここではOrderフォルダ）から指示情報を読み取り、ステップＳ３０４で、指示情報を参照して、記録媒体１０に記録する対象となる画像データを特定する。なお、所定の記憶場所に複数の指示情報が記憶されている場合は、指示情報の作成年月日の古い順など、予め定められた順番で指示情報を読み取ればよい。また、指示情報が記録装置１に記憶されている場合は、対象画像特定手段１８は、記録装置１の所定の記憶場所から指示情報を読み取ればよい。
【００４６】
そして、対象画像特定手段１８は、対象となる画像データがサーバ１３の所定の記憶場所（ここではPSフォルダ）に記憶されているかを判断し、対象となる画像データがある場合は、ステップＳ３０６で、その画像データを読み取る。なお、画像データの読み取りに際して、指示情報で特定された画像データのみをサーバ１３から読み取ってもよいが、画像データの数が少ない場合には、特定された画像データ以外の画像データ（例えば、特定されたオリジナル画像データに対応する縮小画像データや、他のROフォルダに記憶された画像データなど）を読み取ってもよい。一方、対象となる画像データがない場合には、ステップＳ３０９で、図１６に示すようなメッセージ画面２３を表示手段６に表示してユーザに対象となる画像データがないことを知らせた後に処理を終了する。
【００４７】
次に、ステップＳ３０７で、必要に応じて、データ生成手段１９は、指示情報で特定された画像データやその他の画像データを用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して、家電機器でスライドショーを再生するための家電機器用データを生成する。なお、動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００４８】
次に、ステップＳ３０８で、各種データを記録媒体１０に書き込む。その際、家電機器では所定の領域（ディスク型記録媒体の内側）に記録されたデータしか読み出すことができないため、家電機器用データを記録媒体１０の内側に書き込み、必要に応じてセッションをクローズした後、入力した画像データや必要に応じて生成した縮小画像データ、スライドショープログラムなどのアプリケーション、情報ファイル、音楽データなどを家電機器用データの外側に書き込む。
【００４９】
上記手順で作成された記録媒体１０のディレクトリ構造は、例えば図１３に示すようになり、画像データの格納場所を示すフォルダ（PS_Rollフォルダ）内に、指示情報で特定されたオリジナル画像データ（ここでは１０個のオリジナル画像データが選択された場合を示している。）や該オリジナル画像データに対応する縮小画像データ、記録媒体１０の管理情報が記述された管理データ（index.pvm）が格納され、APPLフォルダ内に、画像データをスライドショーとして表示させるためのスライドショープログラムやスライドショーの設定ファイルなどが格納されてコンピュータ機器用データが構成される。
【００５０】
また、家電機器用データとしてＶｉｄｅｏ−ＣＤ形式のデータを生成した場合の記録媒体１０のディレクトリ構造は図１３（ａ）に示すようになり、上記コンピュータ機器用データに加えて、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどが記録され、ＤＶＤ−Ｖｉｄｅｏ形式のデータを生成した場合は、図１３（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００５１】
このように、本実施例の記録システムでは、デジタルカメラ８やメディア９から読み取ったオリジナル画像データや該オリジナル画像データに基づいて生成された縮小画像データがサーバ１３などの記憶手段に記憶され、携帯機器１１で画像データを閲覧してその中から所望の画像データを選択し、その選択結果を記述した指示情報を作成し、記録装置１では、特定の記録媒体１０が装填された場合に指示情報を読み取り、指示情報に基づいて画像データを特定し、特定された画像データが存在する場合は、少なくとも特定された画像データや家電機器用データを記録媒体１０に記録し、特定された画像データが存在しない場合は、その旨を示すメッセージ画面２３を表示手段６に表示する。これにより、ユーザは場所や時間を問わずに記録媒体１０に記録する画像データを携帯機器１１で選択することができるため、所望の画像データが記録された利用価値の高い記録媒体１０を作成することができる。
【００５２】
なお、図８では、記録装置１（又は受付端末１４）でオリジナル画像データや縮小画像データのアップロードのみを行ったが、アップロードに加えて、これらの画像データを記録媒体１０に記録したり、これらの画像データに基づいて家電機器用データを生成し、画像データと家電機器用データとを記録媒体１０に記録するなどの処理を行ってもよい。
【実施例２】
【００５３】
次に、本発明の第２の実施例に係る記録装置及び記録プログラムについて、図１７乃至図２２を参照して説明する。図１７は、本実施例の記録装置の手段を示すブロック図であり、図１８及び図１９は、本実施例の記録システムを用いた処理の手順を示すフローチャート図である。また、図２０は、指示情報の具体例を示す図であり、図２１及び図２２は、携帯機器の表示手段に表示される画面構成例を示す図である。
【００５４】
前記した第１の実施例では、携帯機器１１を用いて、サーバ１３に記憶された画像データの中から記録媒体１０に記録する画像データを選択したが、従来技術で示したように、サーバ１３に記憶された画像データの中には、画像を回転させたり、画像に文字や音声などを合成することによって見栄えを良くすることができる場合もある。そこで、本実施例では、携帯機器１１の操作手段を用いて画像データに対する処理を指示する場合について記載する。
【００５５】
本実施例の記録装置１は、図１７に示すように、メディア９を装填するメディア装填部２、デジタルカメラ８を接続するための機器接続部３などを用いて画像データを読み取るデータ入力手段１５と、ネットワーク接続部４を用いて読み取った画像データや該画像データに基づいて生成された縮小画像データをサーバ１３に送信するデータ送信手段１６と、記録媒体装填部５に装填された記録媒体１０が特定の記録媒体であるかを識別する記録媒体識別手段１７と、サーバ１３などから指示情報を読み取り、該指示情報に基づいて画像データを特定する対象画像特定手段１８と、指示情報に従って画像データに対して所定の処理を行うデータ処理手段２１と、処理された画像データなどに基づいて家電機器用データや縮小画像データを生成するデータ生成手段１９と、上記画像データや縮小画像データ、家電機器用データなどを記録媒体装填部５に装填された記録媒体１０に記録する記録制御手段２０と、メッセージ画面などを表示手段６に表示させる表示制御手段２２と、ＬＣＤ、ＣＲＴ等の表示手段６と、ボタン、キーボード、マウス等の操作手段７と、を少なくとも備えている。
【００５６】
なお、本実施例においても、上記各手段は記録装置１にハードウェアとして構成されていてもよいし、コンピュータを、少なくとも記録媒体識別手段１７、対象画像特定手段１８、データ処理手段２１、記録制御手段２０などとして機能させる記録プログラムとして構成し、該記録プログラムを記録装置１にインストールして実行する構成とすることもできる。
【００５７】
次に、本実施例の記録システムを用いた処理の手順について説明する。まず、第１の実施例と同様に、図８のフローチャート図に従ってデジタルカメラ８やメディア９から画像データを読み取り、図１１に示すように、読み取った画像データや該画像データに基づいて作成した縮小画像データをサーバ１３にアップロードする。
【００５８】
次に、サーバ１３に記憶された画像データに対する処理を指示する手順について、図１８のフローチャート図を参照して説明する。
【００５９】
第１の実施例と同様に、ステップＳ４０１で、ユーザは携帯機器１１を操作してサーバ１３にアクセスし、必要に応じて、入力したユーザＩＤやパスワード、携帯機器１１の電話番号、電子メールアドレスなどの識別情報を用いて認証を行った後、ステップＳ４０２で、携帯機器１１を用いてサーバ１３に記憶された画像データに基づく画像を閲覧する。
【００６０】
次に、ステップＳ４０３で、ユーザは携帯機器１１に備える機能を利用して、表示手段に表示された画像に対して所定の処理を指示する。例えば、図２１に示すように、表示手段に表示された画像に対して文字情報２４を合成したり、図２２に示すように、表示手段に表示された画像を回転させたり、表示手段に表示された画像の基となる画像データに対して音声データを合成したり、スライドショーと共に再生される音楽データの選択などを行う。なお、上記処理は１つのROフォルダ内の画像データに対して行ってもよいし、複数のROフォルダ内の画像データに対して行ってもよい。また、どの画像データに対して処理を指示したかが識別できるようにするために、処理を指示した画像データに対して処理済みであることを示すマーク（例えば、図２２に示すような画像を回転したことを示すマーク２５など）を表示することが好ましい。
【００６１】
次に、ステップＳ４０４で、携帯機器１１は、選択された画像データのサーバ１３上の記憶場所（パス情報）及び該画像データに対する処理の内容が記述された指示情報を作成し、その指示情報をサーバ１３に送信する。この指示情報の構成は特に限定されないが、例えば、画像に文字を合成する場合は、図２０（ａ）に示すように、処理の対象となる画像データのサーバ１３上の記憶場所（パス名）と該画像データに合成する文字を特定する情報とを記述したり、画像に音声を合成する場合は、図２０（ｂ）に示すように、処理の対象となる画像データのサーバ１３上の記憶場所（パス名）と該画像データに合成する音声データを特定する情報とを記述する構成などとすることができる。
【００６２】
そして、ステップＳ４０５で、サーバ１３は、送信された指示情報を所定の記憶場所（例えば、Ordersフォルダ）に記憶する。なお、上記フローでは指示情報をサーバ１３に送信する構成としたが、第１の実施例と同様に、記録媒体１０を作成する記録装置１が特定されている場合には、通信ネットワーク１２を介して又はブルートゥース機能などを用いて、携帯機器１１から記録装置１に直接、又はサーバ１３を介して指示情報を送信してもよい。
【００６３】
次に、記録装置１を用いて、少なくとも指示情報で特定される画像データを記録媒体１０に記録する手順について、図１９のフローチャート図を参照して説明する。
【００６４】
第１の実施例と同様に、ステップＳ５０１で、記録装置１の記録媒体装填部５に記録媒体１０を装填すると、ステップＳ５０２で、記録媒体識別手段１７は、記録媒体１０の所定の領域から記録媒体１０を識別するための識別情報を読み出して、装填された記録媒体１０が特定の記録媒体１０であるかを判断する。
【００６５】
次に、ステップＳ５０３で、対象画像特定手段１８は、ネットワーク接続部４を用いてサーバ１３にアクセスし、サーバ１３の所定の記憶場所（ここではOrderフォルダ）から指示情報を読み取り、ステップＳ５０４で、指示情報を参照して、記録媒体１０に記録する対象となる画像データを特定する。なお、携帯機器１１から記録装置１に指示情報を送信した場合は、対象画像特定手段１８は、記録装置１の所定の記憶場所から指示情報を読み取る。
【００６６】
そして、対象画像特定手段１８は、対象となる画像データがサーバ１３の所定の記憶場所（ここではPSフォルダ）に記憶されているかを判断し、対象となる画像データがある場合は、ステップＳ５０６で、その画像データを読み取る。なお、画像データの読み取りに際して、指示情報で特定された画像データのみをサーバ１３から読み取ってもよいが、画像データの数が少ない場合には、特定された画像データ以外の画像データ（例えば、特定された画像データと同じROフォルダに記憶された画像データや、特定されたオリジナル画像データに対応する縮小画像データ、他のROフォルダに記憶された画像データなど）を読み取ってもよい。一方、対象となる画像データがない場合には、ステップＳ５１０で、図１６に示すようなメッセージ画面２３を表示手段６に表示してユーザに対象となる画像データがないことを知らせた後に処理を終了する。
【００６７】
次に、ステップＳ５０７で、指示情報の記述に従って、特定された画像データに対して所定の処理を施す。具体的には、画像に文字を合成する場合は、特定された画像データに基づく画像に対して、指示情報で特定された文字を所定の場所に嵌め込んだ合成データを作成し、画像を回転させる場合は、特定された画像データに基づく画像を指示情報で特定された角度で回転させた画像データを作成する。
【００６８】
次に、ステップＳ５０８で、必要に応じて、データ生成手段１９は、所定の処理が施された画像データやその他の画像データを用いて動画データを生成し、生成した動画データを、ＤＶＤプレーヤやＤＶＤレコーダ、ＨＤＤレコーダ、ゲーム機などの家電機器１４で再生可能なＶｉｄｅｏ−ＣＤ形式やＤＶＤ−Ｖｉｄｅｏ形式、ＨＤＴＶ形式に変換して、家電機器１４でスライドショーを再生するための家電機器用データを生成する。
【００６９】
次に、ステップＳ５０９で、家電機器用データを記録媒体１０の内側に書き込み、必要に応じてセッションをクローズした後、入力した画像データや必要に応じて生成した縮小画像データ、スライドショープログラムなどのアプリケーション、情報ファイル、音楽データなどを家電機器用データの外側に書き込む。
【００７０】
このように、本実施例の記録システムでは、デジタルカメラ８やメディア９から読み取った画像データや縮小画像データがサーバ１３などの記憶手段に記憶され、携帯機器１１でこの画像データの中から所望の画像データを選択すると共に選択した画像データに対して所定の処理を指示し、その選択結果と処理内容を記述した指示情報を作成し、記録装置１では、特定の記録媒体１０が装填された場合に指示情報を読み取り、指示情報に基づいて画像データを特定し、特定された画像データが存在する場合は、指示情報に従って画像データを処理し、少なくとも処理された画像データや家電機器用データを特定の記録媒体１０に記録し、特定された画像データが存在しない場合は、その旨を示すメッセージ画面２３を表示手段６に表示する。これにより、ユーザは場所や時間を問わずに携帯機器１１を用いて記録媒体１０に記録する画像データを選択したり該画像データに対する処理を指示することができるため、所望の画像データが所望の形態で記録された利用価値の高い記録媒体１０を作成することができる。
【００７１】
なお、上記各実施例では、デジタルカメラ８やメディア９から読み取った画像データに対して携帯機器１１を用いて指示情報を作成したが、本発明は上記実施例に限定されるものではなく、フィルムから読み取った画像データなどの他の画像データに対しても同様に適用することができる。
【図面の簡単な説明】
【００７２】
【図１】本発明の第１の実施例に係る記録システムの構成を模式的に示す図である。
【図２】本発明の第１の実施例に係る記録システムの他の構成を示す図である。
【図３】本発明の第１の実施例に係る記録システムの他の構成を示す図である。
【図４】本発明の第１の実施例に係る記録システムの他の構成を示す図である。
【図５】本発明の第１の実施例に係る記録システムの他の構成を示す図である。
【図６】本発明の第１の実施例に係る記録システムの他の構成を示す図である。
【図７】本発明の第１の実施例に係る記録装置の手段を示すブロック図である。
【図８】本発明の第１の実施例に係る記録装置（受付端末）を用いたアップロード手順を示すフローチャート図である。
【図９】本発明の第１の実施例に係る携帯機器を用いた画像データの選択手順を示すフローチャート図である。
【図１０】本発明の第１の実施例に係る記録装置を用いた記録媒体の作成手順を示すフローチャート図である。
【図１１】本発明の第１の実施例に係るサーバにおけるデータの記録構造（アップロード後）を示す図である。
【図１２】本発明の第１の実施例に係るサーバにおけるデータの記録構造（画像選択後）を示す図である。
【図１３】本発明の第１の実施例に係る記録媒体におけるデータの記録構造を示す図である。
【図１４】本発明の第１の実施例に係る指示情報の構成例を示す図である。
【図１５】記録媒体（ＣＤ−Ｒ）の構造を模式的に示す斜視図である。
【図１６】本発明の第１の実施例に係る記録装置の表示手段に表示されるメッセージ画面の構成例を示す図である。
【図１７】本発明の第２の実施例に係る記録装置の手段を示すブロック図である。
【図１８】本発明の第２の実施例に係る携帯機器を用いた指示情報の作成手順を示すフローチャート図である。
【図１９】本発明の第２の実施例に係る記録装置を用いた記録媒体の作成手順を示すフローチャート図である。
【図２０】本発明の第２の実施例に係る指示情報の構成例を示す図である。
【図２１】本発明の第２の実施例に係る携帯機器の表示手段に表示される画面構成例を示す図である。
【図２２】本発明の第２の実施例に係る携帯機器の表示手段に表示される画面構成例を示す図である。
【符号の説明】
【００７３】
１  受付端末
２  メディア装填部
３  機器接続部
４  記録媒体装填部
５  ネットワーク接続部
６  表示手段
７  操作手段
８  デジタルカメラ
９  メディア
１０  記録媒体
１１  携帯機器
１２  通信ネットワーク
１２ａ  基地局
１３  サーバ
１４  記録装置
１５  データ入力手段
１６  データ送信手段
１７  記録媒体識別手段
１８  指示情報特定手段
１９  データ生成手段
２０  記録制御手段
２１  記憶手段
２２  表示制御手段
２３  メッセージ画面
２４  文字情報
２５  マーク
１００  ポリカーボネート基板
１０１  有機色素層
１０２  反射層
１０３  保護層
【図１】
2006324868.tif 000003
【図２】
2006324868.tif 000004
【図３】
2006324868.tif 000005
【図４】
2006324868.tif 000006
【図５】
2006324868.tif 000007
【図６】
2006324868.tif 000008
【図７】
2006324868.tif 000009
【図８】
2006324868.tif 000010
【図９】
2006324868.tif 000011
【図１０】
2006324868.tif 000012
【図１１】
2006324868.tif 000013
【図１２】
2006324868.tif 000014
【図１３】
2006324868.tif 000015
【図１４】
2006324868.tif 000016
【図１５】
2006324868.tif 000017
【図１６】
2006324868.tif 000018
【図１７】
2006324868.tif 000019
【図１８】
2006324868.tif 000020
【図１９】
2006324868.tif 000021
【図２０】
2006324868.tif 000022
【図２１】
2006324868.tif 000023
【図２２】
2006324868.tif 000024